【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
プラスチック基材と、
前記プラスチック基材の表面に形成された第１の層と、を含み、
前記第１の層は、平均粒子径が互いに異なる複数種類のポリウレタン樹脂と、金属酸化物微粒子と、有機ケイ素化合物と、を含む第１の組成物を用いて形成されている、
光学物品。
【請求項２】
請求項１において、
前記複数種類のポリウレタン樹脂は、平均粒子径がｄ１の小径ポリウレタン樹脂と、平均粒子径がｄ２の大径ポリウレタン樹脂と、を含み、
前記金属酸化物微粒子の平均粒子径をｄｍとした場合に、前記ｄ１、前記ｄ２、および前記ｄ３が以下の条件式を満たす、光学物品。
５ｎｍ≦ｄ１≦６０ｎｍ
６０ｎｍ≦ｄ２≦４００ｎｍ
５ｎｍ≦ｄｍ≦６０ｎｍ
【請求項３】
請求項２において、前記小径ポリウレタン樹脂は、平均粒子径がｄ１１の第１のポリウレタン樹脂と、平均粒子径がｄ１２の以下の条件式を満たす第２のポリウレタン樹脂と、を含み、
光学物品。
２０ｎｍ≦ｄ１１≦４０ｎｍ
４０ｎｍ≦ｄ１２≦６０ｎｍ
【手続補正２】
【補正対象書類名】明細書
【補正対象項目名】発明の名称
【補正方法】変更
【補正の内容】
【発明の名称】光学物品
【手続補正３】
【補正対象書類名】明細書
【補正対象項目名】００５８
【補正方法】変更
【補正の内容】
【００５８】
２．１  ポリウレタン樹脂（（Ａ）成分）
（Ａ）成分のポリウレタン樹脂としては、特に制限はなく、平均粒子径が互いに異なる複数種類のポリウレタン樹脂を適宜選択すればよい。好ましくは、プライマー層形成用組成物は、平均粒子径が５ｎｍ〜６０ｎｍの小径ポリウレタン樹脂群に含まれる少なくとも１つのポリウレタン樹脂と、平均粒子径が６０ｎｍ〜４００ｎｍの大径ポリウレタン樹脂群に含まれる少なくとも１つのポリウレタン樹脂とを含むものとするとよい。さらに好ましくは、プライマー層形成用組成物は、例えば、小径ポリウレタン樹脂群に含まれる平均粒子径が２０ｎｍ〜４０ｎｍの第１のポリウレタン樹脂と、小径ポリウレタン樹脂群に含まれる平均粒子径が４０ｎｍ〜６０ｎｍの第２のポリウレタン樹脂と、大径ポリウレタン樹脂群に含まれる第３のポリウレタン樹脂とを含むようにするとよい。上述したように、平均粒子径が互いに異なる複数種類のポリウレタン樹脂を含むプライマー層形成用組成物を用いることにより、第１の層の柔軟性を比較的向上させることができ、かつ、第１の層の層厚を比較的厚くすることができ、しかも、第１の組成物の混合物としての安定性も良好に保つことができる。
【手続補正４】
【補正対象書類名】明細書
【補正対象項目名】００７０
【補正方法】変更
【補正の内容】
【００７０】
ポリイソシアネート化合物としては、例えば、トリレンジイソシアネート、キシリレンジイソシアネート、４，４′−ジフエニルメタンジイソシアネート、１，５−ナフタレンジイソシアネート、３，３′−ジメチル−４，４′−ジフエニルジイソシアネートなどの芳香族系ジイソシアネート、１，６−ヘキサメチレンジイソシアネート、イソホロンジイソシアネート、４，４′−ジシクロヘキシルメタンジイソシアネート、１，３−ビス（イソシアナトメチル）シクロヘキサン、トリメチルヘキサメチレンジイソシアネートなどの脂肪族系ジイソシアネートが挙げられる。
【手続補正５】
【補正対象書類名】明細書
【補正対象項目名】００７１
【補正方法】変更
【補正の内容】
【００７１】
さらに、ポリイソシアネート化合物としては、水添キシリレンジイソシアネート、ヘキサメチレンジイソシアネートのビウレット結合体あるいはイソシアヌレート結合体、ヘキサメチレンジイソシアネートとトリメチロールプロパンとの反応アダクト体、２−イソシアネートエチル−２，６−ジイソシアネートヘキサノエート、１，６，１１−ウンデカントリイソシアネート、イソホロンジイソシアネートとトリメチロールプロパンとの反応アダクト体、キシリレンジイソシアネートとトリメチロールプロパンとの反応アダクト体、ビス（イソシアネートメチル）シクロヘキサンとトリメチロールプロパンとの反応アダクト体などのいわゆるブロック型ポリイソシアネートを用いることもできる。その他の公知のポリイソシアネート化合物の使用も可能である。
【手続補正６】
【補正対象書類名】明細書
【補正対象項目名】００７５
【補正方法】変更
【補正の内容】
【００７５】
カーボネート骨格を有するポリウレタン樹脂と芳香環を有するポリウレタン樹脂とを併
用することで、耐衝撃性、高屈折率、良好な透明性を兼ね備えたプライマー層を形成する
ことができる。この際、双方のポリウレタン樹脂として互いに異なる平均粒子径を有する
ポリウレタン樹脂を組み合わせることにより、プライマー層中において密に充填がなされ
るため、それぞれを単独で用いる場合よりも、耐衝撃性および屈折率がさらに向上する。
つまり、互いに異なる粒子径を有する２種以上のポリウレタン樹脂の組み合わせにより、
耐衝撃性、屈折率、透明性を向上させることが可能である。
【手続補正７】
【補正対象書類名】明細書
【補正対象項目名】００８１
【補正方法】変更
【補正の内容】
【００８１】
ポリウレタン樹脂の好ましい具体例としては、スーパーフレックス２１０（第一工業製薬（株）製）、スーパーフレックス４６０（第一工業製薬（株）製）、Ｆ２９２９Ｄ（第一工業製薬（株）製）、ＮｅｏＲｅｚＲ−９６０（ゼネカ製）、ハイドランＡＰ−３０（大日本インキ工業（株）製）、アイゼラックスＳ−１０２０（保土ヶ谷化学（株）製）、ネオタンＵＥ−５０００（東亞合成（株）製）、ＲＵ−４０シリーズ（スタール・ジャパン製）、ＷＦ−４１シリーズ（スタール・ジャパン製）、ＷＰＣ−１０１（日本ポリウレタン工業（株）製）などが挙げられる。
【手続補正８】
【補正対象書類名】明細書
【補正対象項目名】０１４４
【補正方法】変更
【補正の内容】
【０１４４】
米国ＦＤＡ規格による落球試験を行なった。凸面を上にしたプラスチックレンズの鉛直上方から、質量１６．３ｇの鋼球を、高さ８７ｃｍから落下させ、ここで破壊が生じなかったものは、２０ｃｍずつ高さを上げて、再度鋼球を落下させ、破壊した時点の高さを測定し、同一水準のレンズ５枚の破壊高さの平均値から下記の通り分類した。なお、落球試験時にはプラスチックレンズ基材の中心厚を１．１ｍｍとした。質量１６．３ｇの鋼球による破壊高さが１２７ｃｍを超えることがＦＤＡ規格クリアとされている。
◎：１８７ｃｍ以上
○：１４７ｃｍ以上〜１８７ｃｍ未満
△：１２７ｃｍ以上〜１４７ｃｍ未満
×：１２７ｃｍ未満
【手続補正９】
【補正対象書類名】明細書
【補正対象項目名】０１５４
【補正方法】変更
【補正の内容】
【０１５４】
Ｆ２９２９Ｄは、芳香環を有しているが、比較例２に示すように、これのみでは、平均粒子径が比較的大きいため、立体障壁などによりハードセグメントが密には形成されにくい。このため、光学的な性能が得られにくい。一方、スーパーフレックス２１０のみでは、比較例１に示すように、光学的性能は良好であるが、耐衝撃性が得られにくい。実施例７では、芳香環を有しているスーパーフレックス２１０と、カーボネート系のスーパーフレックス４６０との組み合わせにより、光学的性質は良好であり、さらに耐衝撃性もほぼ良好であるとの評価結果が得られている。